(57)【要約】【課題】正面方向のみならず左右方向などからも視認可能な構造を有し、視認範囲を広げることができる貼着表示札を提供すること。【解決手段】貼着表示札１は、被貼付物２に貼り付けて、展示物や商品などに関する情報の表示を行うものであって、被貼付物２に貼着される貼着部１０と、この貼着部１０から延出された支持腕部２０と、支持腕部２０の先端部に設けられて、印刷された展示物や商品などに関する広告情報や模様などの表示部３１を有する表示体３０と、支持腕部２０の一部に形成されて表示体３０とは異なる表示部４１を表示する第２表示体４０とを備える。表示体３０は、貼着部１０が被貼付物２に貼着された状態のときに、自己の弾性力により撓んだ状態で被貼付物２から突出する支持腕部２０に対して立体的に組み立てられた構造を有する。【選択図】図１
2009031427.tif 000002
【特許請求の範囲】
【請求項１】
被貼付物に貼着される貼着部と、
該貼着部から前記被貼付物の正面方向に延出された支持腕部と、
該支持腕部の先端部に設けられて表示部を有する立体的に組み立てられた表示体とを備えた
ことを特徴とする貼着表示札。
【請求項２】
前記貼着部、前記支持腕部および前記表示体は、一枚のフィルム体からなり、前記支持腕部は短冊状に形成され、該表示体は展開状態から組み立てられたものであることを特徴とする請求項１記載の貼着表示札。
【請求項３】
前記表示体は、糊付けまたは嵌め込みによって立体的な状態が保持される構造を有することを特徴とする請求項２記載の貼着表示札。
【請求項４】
前記表示体は、前記貼着部が前記被貼付物に貼着された状態のときに、前記表示部を少なくとも前記被貼付物の正面に対して左右方向から視認可能に表示することを特徴とする請求項１〜３のいずれか１項記載の貼着表示札。
【請求項５】
前記支持腕部は、前記表示体とは異なる第２表示体を有することを特徴とする請求項１〜４のいずれか１項記載の貼着表示札。
【請求項６】
前記第２表示体は、前記貼着部が前記被貼付物に貼着された状態のときに、前記被貼付物の正面方向から視認可能に配置されるように形成されていることを特徴とする請求項５記載の貼着表示札。
【請求項７】
前記表示体および前記第２表示体の少なくとも一方は、前記貼着部が前記被貼付物に貼着された状態のときに、前記支持腕部が外力による撓みから自身の弾性で復元振動することに伴い揺動可能に形成されていることを特徴とする請求項５または６記載の貼着表示札。
【発明の詳細な説明】
【技術分野】
【０００１】
本発明は、任意の場所などに簡単に取り付けることができる商品などの情報表示用の貼着表示札に関し、特に正面方向のみならず左右方向などからも視認可能な構造を有する貼着表示札に関する。
【背景技術】
【０００２】
商品の陳列棚などに簡単に取り付けることができる商品などの情報表示用の貼着表示札としては、例えば下記特許文献１に開示されている貼着表示札が知られている。この貼着表示札は、被貼付物に貼付して表示を行う表示札であって、長尺フィルム体を基体とし、この被貼付物に貼着される貼着部と、この貼着部から延出された支持腕部とを有する。
【０００３】
そして、支持腕部に表示部が設けられ、貼着部が貼着された状態で、この支持腕部が自立的に保持されたり、外力による撓みから自身の弾性で復元振動したりする構造を有する。これにより、表示効果に優れた表示札を、省スペースにて簡単に配置できるとともに簡単な工程にて製造可能とすることができ、全体として低コスト化を図ることができるとされている。
【０００４】
【特許文献１】特開２００５−１７９０１号公報
【発明の開示】
【発明が解決しようとする課題】
【０００５】
しかしながら、上記特許文献１に開示されている従来の貼着表示札では、貼着表示札が被貼付物に貼着された場合に、貼着表示札の正面方向からの表示部の視認性は良好であるが、表示部に対して角度を持って見た（すなわち、左右方向などから見た）場合には視認性が著しく劣ってしまうという問題があった。
【０００６】
本発明は、このような問題点に鑑みてなされたもので、正面方向のみならず左右方向などからも視認可能な構造を有し、視認範囲を広げることができる貼着表示札を提供することを目的とする。
【課題を解決するための手段】
【０００７】
本発明に係る貼着表示札は、被貼付物に貼着される貼着部と、該貼着部から前記被貼付物の正面方向に延出された支持腕部と、該支持腕部の先端部に設けられて表示部を有する立体的に組み立てられた表示体とを備えたことを特徴とする。
【０００８】
上記構成によれば、表示部を有する表示体が立体的に組み立てられた構造からなるため、正面方向のみならず左右方向などからも表示部を視認させることができ、視認範囲を広げて表示効果や広告宣伝効果を高めることが可能となる。
【０００９】
また、本発明に係る貼着表示札においては、前記貼着部、前記支持腕部および前記表示体は、一枚のフィルム体からなり、前記支持腕部は短冊状に形成され、該表示体は展開状態から組み立てられたものであるとよい。このような構成によれば、表示体などを別途作成して支持腕部に貼り付ける場合と比較して、製造工程における加工や組立が容易となり、コストの低減を図ることが可能となる。
【００１０】
また、本発明に係る貼着表示札においては、前記表示体は、糊付けまたは嵌め込みによって立体的な状態が保持される構造を有する構成とされていてもよい。このような構成によれば、表示部の組み立てを容易に行うことができる。
【００１１】
また、本発明に係る貼着表示札においては、前記表示体は、前記貼着部が前記被貼付物に貼着された状態のときに、前記表示部を少なくとも前記被貼付物の正面に対して左右方向から視認可能に表示する構成とされていてもよい。このような構成によれば、表示体に表示される表示部を少なくとも左右方向から視認させることが可能となる。
【００１２】
また、本発明に係る貼着表示札においては、前記支持腕部は、前記表示体とは異なる第２表示体を有する構成とされていてもよい。このような構成によれば、第２表示体にて表示部をさらに構成することができ、表示効果や広告宣伝効果をさらに高めることが可能となる。
【００１３】
また、本発明に係る貼着表示札においては、前記第２表示体は、前記貼着部が前記被貼付物に貼着された状態のときに、前記被貼付物の正面方向から視認可能に配置されるように形成されている構成とされていてもよい。このような構成によれば、支持腕部の状態に影響されずに第２表示体にて表示部を貼着表示札の正面に表示することができる。
【００１４】
また、本発明に係る貼着表示札においては、前記表示体および前記第２表示体の少なくとも一方は、前記貼着部が前記被貼付物に貼着された状態のときに、前記支持腕部が外力による撓みから自身の弾性で復元振動することに伴い揺動可能に形成されている構成とされていてもよい。このような構成によれば、表示体や第２表示体における表示部の表示効果や広告宣伝効果を高めることが可能となる。
【発明の効果】
【００１５】
以上のように本発明によれば、正面方向のみならず左右方向などからも視認可能な構造を有し、視認範囲を広げることができる貼着表示札を提供することができる。
【発明を実施するための最良の形態】
【００１６】
以下に、添付の図面を参照して、本発明に係る貼着表示札の実施形態について詳細に説明する。
【００１７】
図１は、本発明の一実施形態に係る貼着表示札の全体構成の例を示す外観斜視図、図２は同貼着表示札の展開時構成の例を示す展開図、図３は図２のＡ−Ａ’断面図である。図１に示すように、貼着表示札１は、展示物や展示ケース、あるいは商品などの陳列棚のような展示物の付帯物からなる被貼付物２に貼り付けて、展示物や商品などに関する情報の表示を行うものであって、被貼付物２に貼着される貼着部１０と、この貼着部１０から延出された支持腕部２０とを備える。
【００１８】
また、貼着表示札１は、支持腕部２０の貼着部１０と反対側の端部（すなわち、先端部）に設けられて、印刷された展示物や商品などに関する広告情報や模様などの表示部３１を有する表示体３０と、支持腕部２０の一部に形成されて表示体３０とは異なる表示部４１を有する第２表示体４０とを備えている。この表示体３０は、貼着部１０が被貼付物２に貼着された状態のときに、自己の弾性力により撓んだ状態で被貼付物２から突出する支持腕部２０に対して立体的に組み立てられた構造（ここでは、三角柱状に突出する構造）を有する。
【００１９】
貼着表示札１（すなわち、貼着部１０、支持腕部２０および表示体３０）は、図２および図３に示すように、展開状態においては、同一（一枚）の透明なフィルム体３からなり、短冊状に形成された支持腕部２０の一端側において矩形状に形成された貼着部１０に相当する部分の上面側に重畳された粘着層４と、支持腕部２０の他端側において表示体３０に相当する部分の下面側に印刷形成されたベース層５ａおよび印刷上層５ｂ（すなわち、表示部３１）と、支持腕部２０の中位の下面側に印刷形成されたベース層６ａおよび印刷上層６ｂ（すなわち、表示部４１）とで構成される。
【００２０】
粘着層４は、例えば被貼付物２に対して恒久的に貼着可能な特性や、貼付自在（すなわち、剥離可能）な特性を有する少なくとも１種類の粘着剤からなる。具体的には、粘着層４は、例えば水溶性粘着剤、アクリルエマルション樹脂系粘着剤、天然ゴム系粘着剤、合成ゴム系粘着剤、アクリル樹脂系粘着剤、ウレタン樹脂系粘着剤、シリコン樹脂系粘着剤、ポリビニルエーテル樹脂系粘着剤などを用いて構成することができる。また、その他、ホットメルトや溶剤系粘着剤を用いることもできる。
【００２１】
なお、各ベース層５ａ，６ａは、それぞれ表示部３１，４１の基礎の印刷層（例えば、べた塗りの層）を構成し、各印刷上層５ｂ，６ｂは、それぞれ表示部３１，４１の表示情報を表す印刷層（例えば、模様や文字の層）を構成する。これらベース層５ａ，６ａおよび印刷上層５ｂ，６ｂは、例えば鉱油性インク、乾性植物油インク、樹脂性インクなど、あるいは紫外線硬化型インクやグラビアインクなどからなる。そして、フィルム体３の貼着部１０と支持腕部２０との接続部分には、被貼付物２への貼着時に支持腕部２０が良好に撓めるように切り込み９が形成されている。
【００２２】
また、表示部３１，４１は、それぞれ表示体３０および第２表示体４０に相当する部分の上面側に印刷形成されてもよいが、下面側に印刷形成されていると、組立時に表面となる側にフィルム体３が配置されるため、表示部３１，４１の表面保護や表示体３０および第２表示体４０の光沢演出などの効果があるので良好である。ここで、表示体３０は、図２に示すように、組立時に立体的な状態となるように展開状態で形成され、かつ各部が最終的に支持腕部２０と連結するような形状に加工されている。
【００２３】
この表示体３０は、組立時に所定箇所でフィルム体３を折り曲げた上で、フィルム体３の少なくとも一部が他の部分に嵌め込まれることで立体的な状態が保持される構造を有する。すなわち、本例の貼着表示札１では、表示体３０は、複数の嵌め込み片３２をそれぞれ嵌め込みスリット３３に嵌め込むことで立体的に組み立てられる。この表示体３０は、組み立てられたときに、表示部３１を貼着表示札１に向かって正面方向と、この正面方向と交差する左右方向とにそれぞれ表示するように形成されている。
【００２４】
さらに、フィルム体３は、少なくとも支持腕部２０に相当する部分が、貼着部１０が被貼付物２に貼着されたときに、撓んだ状態で表示体３０を支持可能な剛性と、曲げなどの外力に対して復元可能な弾性を有する部材からなる。従って、表示体３０および第２表示体４０は、支持腕部２０が外力による撓みから自身の弾性により復元振動することに伴い揺動する。なお、支持腕部２０に設けられた第２表示体４０は、支持腕部２０が撓んだ状態のときに、支持腕部２０に対する正面方向（すなわち、貼着表示札１に向かって正面）から表示部４１が視認可能となるように配置されるように形成されている。
【００２５】
そして、本例の貼着表示札１では、例えば表示体３０および第２表示体４０によって、それぞれ同じ内容の情報を表示したり、別々の内容の情報を表示したりすることができる。すなわち、表示体３０および第２表示体４０には、同じ内容や別々の内容を構成する表示部３１，４１として印刷された模様や文字、あるいは着色や金属蒸着などがなされたり、模様や文字などが形成された貼付物が貼り付けられたりして、展示物や商品などに関する広告情報や模様などが表示される。
【００２６】
また、表示体３０によって表示した情報に第２表示体４０によって強調効果を与えたりすることもできる。具体的には、例えば、表示体３０に「新製品○○」という情報を構成する表示部３１を形成して、第２表示体４０に「好評販売中！」という情報を構成する表示部４１を形成することなどが挙げられる。なお、第２表示体４０を設ける代わりに、支持腕部２０に直接表示部４１を印刷形成して支持腕部２０の外形などを変えずに表示するようにしてもよい。
【００２７】
このように構成された貼着表示札１によれば、立体的に組み立てられた表示体３０によって、展示物や商品などに関する広告情報や模様などの表示部３１を正面方向のみならず左右方向などからも視認可能にすることができる。これにより、上記広告情報や模様などの視認範囲を広げて表示効果や広告宣伝効果を高めることができる。
【００２８】
また、貼着表示札１は、一枚のフィルム体３に表示部３１，４１を印刷形成して、その後に型抜きおよび折り曲げ、表示体３０の組立加工などの簡単な工程を経るだけで形成することができるため、低コストで製造することができる。
【００２９】
図４は、本発明の一実施形態に係る他の貼着表示札の全体構成の例を示す外観斜視図、図５は同貼着表示札の展開時構成の例を示す展開図である。なお、以降において、既に説明した部分と重複する箇所については同一の符号を付して説明を省略する。図４および図５に示すように、この例の貼着表示札１Ａは、先の例の貼着表示札１とは、貼着部１０、支持腕部２０、表示体３０および第２表示体４０を備える点は同様であるが、表示体３０および第２表示体４０の構造的な点が相違している。
【００３０】
すなわち、この貼着表示札１Ａの表示体３０は、立体的に組み立てられたときに、二面の円が正面方向に尖った状態で突出するような構造からなり、上述した複数の嵌め込み片３２および嵌め込みスリット３３の代わりに、糊しろ３４，３５を接着剤などによって貼り付けることにより組み立てられる構造を備える。従って、表示体３０により表示部３１を貼着表示札１Ａに向かって正面ではなく左右方向にそれぞれ表示するように形成されている。
【００３１】
また、この貼着表示札１Ａの第２表示体４０は、被貼付物２に貼着されたときに、支持腕部２０に対して立設するように形成されている。具体的には、第２表示体４０は、支持腕部２０にスリット４１ａを形成することにより構成される。この第２表示体４０は、貼着表示札１Ａに向かって正面方向に表示部４１を表示するように形成されている。
【００３２】
このように構成された貼着表示札１Ａにおいても、展示物や商品などに関する広告情報や模様などの表示部３１を左右方向から、また表示部４１を正面方向からそれぞれ視認可能にすることができる。このため、上記広告情報や模様などの視認範囲を広げて表示効果や広告宣伝効果を高めることができる。
【００３３】
また、先の例の貼着表示札１と同様に、上記貼着表示札１Ａは、一枚のフィルム体３に表示部３１，４１を印刷形成して、その後に型抜きおよび折り曲げ、表示部３０の組立加工などの簡単な工程を経るだけで形成することができ、低コストで製造することができる。
【００３４】
以上述べたように、本実施形態の貼着表示札１，１Ａによれば、広告情報や模様などを貼着表示札１，１Ａに向かって正面方向のみならず左右方向などからも視認可能な構造を実現し、視認範囲を広げて表示効果や広告宣伝効果を高めることが可能となる。
【図面の簡単な説明】
【００３５】
【図１】本発明の一実施形態に係る貼着表示札の全体構成の例を示す外観斜視図である。
【図２】同貼着表示札の展開時構成の例を示す展開図である。
【図３】図２のＡ−Ａ’断面図である。
【図４】本発明の一実施形態に係る他の貼着表示札の全体構成の例を示す外観斜視図である。
【図５】同貼着表示札の展開時構成の例を示す展開図である。
【符号の説明】
【００３６】
１，１Ａ…貼着表示札、２…被貼付物、３…フィルム体、４…粘着層、５ａ，６ａ…ベース層、５ｂ，６ｂ…印刷上層、９…切り込み、１０…貼着部、２０…支持腕部、３０…表示体、３１，４１…表示部、３２…嵌め込み片、３３…嵌め込みスリット、３４，３５…糊しろ、４０…第２表示体、４１ａ…スリット。
【図１】
2009031427.tif 000003
【図２】
2009031427.tif 000004
【図３】
2009031427.tif 000005
【図４】
2009031427.tif 000006
【図５】
2009031427.tif 000007